Podtech/llm-jp-corpus-v4-ja_patent huggingface dataset:
【手続補正書】
【提出日】平成18年8月11日(2006.8.11)
【手続補正１】
【補正対象書類名】特許請求の範囲
【補正対象項目名】全文
【補正方法】変更
【補正の内容】
【特許請求の範囲】
【請求項１】
治療を必要としている対象の爪の真菌感染症を治療するための医薬組成物であって、
式、
Ｒ−（Ｏ−ＣＨ2−ＣＨ2）n−ＯＨ
（式中、Ｒは、Ｃ１２〜Ｃ１８アルキルであり、ｎは、１〜２４である）
の殺真菌化合物の効果的な抗真菌量を含む医薬組成物。
【請求項２】
Ｒは、ＣＨ3（ＣＨ2）11であり、ｎは、４である、請求項１に記載の医薬組成物。
【請求項３】
Ｒは、ＣＨ3（ＣＨ2）11であり、ｎは、２３である、請求項１に記載の医薬組成物。
【請求項４】
Ｒは、ＣＨ3（ＣＨ2）15であり、ｎは、２０である、請求項１に記載の医薬組成物。
【請求項５】
Ｒは、ＣＨ3（ＣＨ2）17であり、ｎは、２である、請求項１に記載の医薬組成物。
【請求項６】
Ｒは、ＣＨ3（ＣＨ2）17であり、ｎは、２０である、請求項１に記載の医薬組成物。
【請求項７】
Ｒは、直鎖飽和炭化水素である、請求項１に記載の医薬組成物。
【請求項８】
前記真菌感染症は、爪真菌感染症である、請求項１に記載の医薬組成物。
【請求項９】
前記対象は、ヒト対象である、請求項１に記載の医薬組成物。
【請求項１０】
前記爪は、指の爪および足の爪からなる群から選択される、請求項１に記載の医薬組成物。
【請求項１１】
治療を必要としている対象の爪の真菌感染症を治療するための医薬組成物であって、式Ｒ−（Ｏ−ＣＨ2−ＣＨ2）n−ＯＨ（式中、Ｒは、Ｃ１２〜Ｃ１８アルキルであり、ｎは、１〜２４である）の殺真菌化合物から実質的に構成される抗真菌組成物を、薬学的に許容し得る局所用担体とともに含む医薬組成物。
【請求項１２】
Ｒは、ＣＨ3（ＣＨ2）11であり、ｎは、４である、請求項１１に記載の医薬組成物。
【請求項１３】
Ｒは、ＣＨ3（ＣＨ2）11であり、ｎは、２３である、請求項１１に記載の医薬組成物。
【請求項１４】
Ｒは、ＣＨ3（ＣＨ2）15であり、ｎは、２０である、請求項１１に記載の医薬組成物。
【請求項１５】
Ｒは、ＣＨ3（ＣＨ2）17であり、ｎは、２である、請求項１１に記載の医薬組成物。
【請求項１６】
Ｒは、ＣＨ3（ＣＨ2）17であり、ｎは、２０である、請求項１１に記載の医薬組成物。
【請求項１７】
Ｒは、直鎖飽和炭化水素である、請求項１１に記載の医薬組成物。
【請求項１８】
前記真菌感染症は、爪真菌感染症である、請求項１１に記載の医薬組成物。
【請求項１９】
前記対象は、ヒト対象である、請求項１１に記載の医薬組成物。
【請求項２０】
前記爪は、指の爪および足の爪からなる群から選択される、請求項１１に記載の医薬組成物。
【請求項２１】
治療を必要としている対象の爪の真菌感染症を治療するための医薬組成物であって、
式：
Ｒ−（Ｏ−ＣＨ2−ＣＨ2）n−ＯＨ
（式中、Ｒは、Ｃ１２〜Ｃ１８アルキルであり、ｎは、１〜２４である）の殺真菌化合物の効果的な抗真菌量を含み、かつ該組成物は、他の抗真菌化合物を欠いている医薬組成物。
【請求項２２】
前記組成物は、イミダゾール誘導体化合物、四級アンモニウム化合物、アリルアミン化合物、およびベンジルアミン化合物からなる群から選択される他の抗真菌薬化合物を欠いている、請求項２１に記載の医薬組成物。
【請求項２３】
治療を必要としている対象の爪の真菌感染症を治療するために有用な組成物であって、
（ａ）式
Ｒ−（Ｏ−ＣＨ2−ＣＨ2）n−ＯＨ
（式中、Ｒは、Ｃ１２〜Ｃ１８アルキルであり、ｎは、１〜２４である）の殺真菌化合物の効果的な抗真菌量と、
（ｂ）爪保湿剤と、
（ｃ）水と
を含む組成物。
【請求項２４】
前記爪保湿剤は、ヒアルロン酸、αヒドロキシ酸、ワセリン、セラミド、およびラノリンからなる群から選択される、請求項２３に記載の組成物。
【請求項２５】
（ｄ）爪硬化剤
をさらに含む、請求項２３に記載の組成物。
【請求項２６】
前記爪硬化剤は、ビオチンおよび亜鉛からなる群から選択される、請求項２５に記載の組成物。
【手続補正書】
【提出日】平成18年9月25日(2006.9.25)
【手続補正１】
【補正対象書類名】特許請求の範囲
【補正対象項目名】全文
【補正方法】変更
【補正の内容】
【特許請求の範囲】
【請求項１】
工業材料への微生物の蔓延を妨げて工業材料を微生物から保護するように微生物を防除するために、
（Ａ）Ｎ’−ヒドロキシ−Ｎ−シクロヘキシルジアゼニウムオキシドのカリウム塩（ＫＨＤＯ）、及び、
（Ｂ）以下の：
２−ブロモ−２−ニトロプロパン−１，３−ジオール（ＢＮＰＤ）、
１，２−ベンズイソチアゾール−３（２Ｈ）−オン（ＢＩＴ）、
９５質量％ビニルアミン及び５質量％ビニルホルムアミドユニットからなるポリビニルアミン（ＰＶＡ）、
ベンズアルコニウム塩化物（ＢＡＣｌ）、
から選択された他の付加的殺微生物活性成分、
を含むｐＨ４以上である水基礎組成物を、使用する方法。
【請求項２】
ＫＨＤＯに加えた単一の殺菌活性成分が、ＢＮＰＤ、ＢＩＴ、ＰＶＡ及びＢＡＣｌから選択される、請求項１に記載の使用方法。
【請求項３】
微生物が菌類である、請求項１又は２に記載の使用方法。
【請求項４】
微生物を死滅させる、請求項１〜３のいずれかに記載の使用方法。
【請求項５】
工業材料への微生物の蔓延を妨げて工業材料を微生物から保護するように微生物を防除する方法であって、
（Ａ）Ｎ’−ヒドロキシ−Ｎ−シクロヘキシルジアゼニウムオキシドのカリウム塩（ＫＨＤＯ）、及び、
（Ｂ）以下の：
２−ブロモ−２−ニトロプロパン−１，３−ジオール（ＢＮＰＤ）、
１，２−ベンズイソチアゾール−３（２Ｈ）−オン（ＢＩＴ）、
９５質量％ビニルアミン及び５質量％ビニルホルムアミドユニットからなるポリビニルアミン（ＰＶＡ）、
ベンズアルコニウム塩化物（ＢＡＣｌ）、
から選択された他の付加的殺微生物活性成分、
を含むｐＨ４以上である水基礎組成物を、微生物に施与することを含む方法。
【請求項６】
ＫＨＤＯに加えた単一の殺菌活性成分が、ＢＮＰＤ、ＢＩＴ、ＰＶＡ及びＢＡＣｌから選択される、請求項５に記載の方法。
【請求項７】
微生物が菌類である、請求項５又は６に記載の方法。
【請求項８】
微生物を死滅させる、請求項５〜７のいずれかに記載の使用方法。
【請求項９】
工業材料への微生物の蔓延を妨げて工業材料を微生物から保護するように微生物を防除するためのｐＨ４以上の水基礎殺菌組成物であって、
（Ａ）Ｎ’−ヒドロキシ−Ｎ−シクロヘキシルジアゼニウムオキシドのカリウム塩（ＫＨＤＯ）、及び、
（Ｂ）以下の：
２−ブロモ−２−ニトロプロパン−１，３−ジオール（ＢＮＰＤ）、
１，２−ベンズイソチアゾール−３（２Ｈ）−オン（ＢＩＴ）、
９５質量％ビニルアミン及び５質量％ビニルホルムアミドユニットからなるポリビニルアミン（ＰＶＡ）、
ベンズアルコニウム塩化物（ＢＡＣｌ）、
から選択された他の付加的殺微生物活性成分、
を含む組成物。
【請求項１０】
ＫＨＤＯに加えた単一の殺菌活性成分が、ＢＮＰＤ、ＢＩＴ、ＰＶＡ及びＢＡＣｌから選択された、請求項９に記載の組成物。
【請求項１１】
前記組成物中の前記成分（Ａ）及び（Ｂ）の各量が、成分（Ａ）と（Ｂ）の全質量に対して、（Ａ）１〜９９質量％、及び（Ｂ）１〜９９質量％である、請求項９又は請求項１０に記載の組成物。
【請求項１２】
前記成分（Ａ）及び（Ｂ）の各量が、（Ａ）４０〜６０質量％、及び（Ｂ）４０〜６０質量％である、請求項１１に記載の組成物。
【請求項１３】
ペースト、乳濁液、又は溶液の形態である、請求項９〜１２のいずれかに記載の組成物。
【請求項１４】
７以上のｐＨを有する、請求項９〜１３のいずれかに記載の組成物。
【請求項１５】
８〜１２のｐＨを有する、請求項１４に記載の組成物。
【手続補正書】
【提出日】平成18年9月8日(2006.9.8)
【手続補正１】
【補正対象書類名】特許請求の範囲
【補正対象項目名】全文
【補正方法】変更
【補正の内容】
【特許請求の範囲】
【請求項１】
下記式Ｉ：
【化１】
2006501295.tif 000001
（式中、
ｎは、１又は２であり；
Ｒ１は、ＣＦ３を表し、又はＣ１〜６アルキル、Ｃ２〜６アルケニル、Ｃ３〜９シクロアルキルもしくはＣ３〜６シクロアルキルＣ１〜６アルキル（これらはいずれも、ハロゲン、ＣＮ、ＣＦ３、ＯＲ３、ＣＯＲ３、ＣＯ２Ｒ３、ＯＣＯＲ４、ＳＯ２Ｒ４、Ｎ（Ｒ５）２、およびＣＯＮ（Ｒ５）２から選択された２個以下の置換基を有していてもよい。）を表し、又は
Ｒ１は、アリール、アリールＣ１〜６アルキル、Ｃ−ヘテロシクリル又はＣ−ヘテロシクリルＣ１〜６アルキルを表し；
Ｒ２は、Ｈ又はＣ１〜４アルキルを表し；
Ｒ３は、Ｈ、Ｃ１〜４アルキル、フェニル又はヘテロアリールを表し；
Ｒ４は、Ｃ１〜４アルキル、フェニル又はヘテロアリールを表し；
Ｒ５は、Ｈ又はＣ１〜４アルキルを表し、又は２個のＲ５基とこれらが相互に結合している窒素原子とが一緒に、アゼチジン、ピロリジン、ピペリジン、モルホリン、チオモルホリン又はチオモルホリン−１，１−ジオキシド環を完成しており；
Ａｒ１およびＡｒ２は、フェニル又はヘテロアリールを独立に表し、これらのうちのいずれかは、ハロゲン、ＣＮ、ＮＯ２、ＣＦ３、ＣＨＦ２、ＯＨ、ＯＣＦ３、ＣＨＯ、ＣＨ＝ＮＯＨ、Ｃ１〜４アルコキシ、Ｃ１〜４アルコキシカルボニル、Ｃ２〜６アシル、Ｃ２〜６アルケニルおよびＣ１〜４アルキル（これらは、ハロゲン、ＣＮ、ＮＯ２、ＣＦ３、ＯＨおよびＣ１〜４アルコキシから選択された置換基を場合によって有する。）から独立に選択された０〜３個の置換基を有しており；
「アリール」は、いずれの存在においても、ハロゲン、ＣＮ、ＮＯ２、ＣＦ３、ＯＣＦ３、ＯＲ３、ＣＯＲ３、ＣＯ２Ｒ３、ＯＣＯＲ４、Ｎ（Ｒ５）２、ＣＯＮ（Ｒ５）２および場合によって置換されているＣ１〜６アルキル、Ｃ１〜６アルコキシ、Ｃ２〜６アルケニル又はＣ２〜６アルケニルオキシ（この場合の置換基は、ハロゲン、ＣＮ、ＣＦ３、フェニル、ＯＲ３、ＣＯ２Ｒ３、ＯＣＯＲ４、Ｎ（Ｒ５）２およびＣＯＮ（Ｒ５）２から選択される）から選択された３個以下の置換基を場合によって有するフェニル又はヘテロアリールを指し；ならびに
「Ｃ−へテロシクリル」および「Ｎ−へテロシクリル」は、いずれの存在においても、炭素又は窒素によって結合されたヘテロ環構造をそれぞれ指し、前記環構造は、非芳香族性であり、および１０個以下の原子を含み、このうちの少なくとも１個は、Ｏ、Ｎ又はＳであり、およびオキソ、ハロゲン、ＣＮ、ＮＯ２、ＣＦ３、ＯＣＦ３、ＯＲ３、ＣＯＲ３、ＣＯ２Ｒ３、ＯＣＯＲ４、ＯＳＯ２Ｒ４、Ｎ（Ｒ５）２、ＣＯＮ（Ｒ５）２および場合によって置換されているフェニル、Ｃ１〜６アルキル、Ｃ１〜６アルコキシ、Ｃ２〜６アルケニル又はＣ２〜６アルケニルオキシ（この場合の置換基は、ハロゲン、ＣＮ、ＣＦ３、ＯＲ３、ＣＯ２Ｒ３、ＯＣＯＲ４、Ｎ（Ｒ５）２、およびＣＯＮ（Ｒ５）２から選択される。）から選択された３個以下の置換基を場合によって有する。）
の化合物又はその医薬適合性の塩。
【請求項２】
Ａｒ１が、６−トリフルオロメチル−３−ピリジル、４−クロロフェニル又は４−トリフルオロメチルフェニルであり、Ａｒ２が、２，５−ジフルオロフェニルである、請求項１に記載の化合物。
【請求項３】
下記式ＩＩ：
【化２】
2006501295.tif 000002
（式中、
Ｘは、Ｎ又はＣＨを表し；
Ｒ６は、Ｈ、Ｆ、Ｃｌ、Ｂｒ、ＣＮ、ＣＦ３、ＣＨ＝ＣＨ２又はＣＨ３を表し、
Ｒ７は、Ｆ、Ｃｌ、Ｂｒ、ＣＮ、ＣＨ３又はＣＨ２ＯＨを表し、
Ｒ１は、請求項１において定義されているとおりである。）
の、請求項１に記載の化合物又はその医薬適合性の塩。
【請求項４】
Ｒ１が、ＣＦ３である、請求項１から３のいずれか一項に記載の化合物。
【請求項５】
トリフルオロメタンスルホン酸、Ｎ−［４−（２，５−ジフルオロフェニル）−４−（６−トリフルオロメチル−ピリジン−３−スルホニル）−シクロヘキシル］−アミドである、請求項４に記載の化合物又はその医薬適合性の塩。
【請求項６】
請求項１から５のいずれか一項に記載の化合物又はその医薬適合性の塩および医薬適合性の担体を含む医薬組成物。
【請求項７】
人体の治療方法に使用するための、請求項１から５のいずれか一項に記載の化合物又はその医薬適合性の塩。
【請求項８】
アルツハイマー病の治療薬又は予防薬を製造するための、請求項１から５のいずれか一項に記載の化合物又はその医薬適合性の塩の使用。
【請求項９】
有効量の請求項１から５のいずれか一項に記載の化合物又はその医薬適合性の塩を被験者に投与することを含む、β−アミロイドの沈着を随伴する状態に罹患しているか、罹患しやすい被験者の治療方法。
【請求項１０】
塩化スルフィニルＲ１ＳＯＣｌ又は塩化スルホニルＲ１ＳＯ２Ｃｌ又は無水スルホン酸（Ｒ１ＳＯ２）２Ｏを下記式ＩＩＩ：
【化３】
2006501295.tif 000003
（式中、Ｒ１、Ａｒ１およびＡｒ２は、請求項１において定義されているとおりである。）
のアミンと反応させることを含む、Ｒ２がＨである、請求項１に記載の化合物の調製方法。
【手続補正書】
【提出日】平成18年9月21日(2006.9.21)
【手続補正１】
【補正対象書類名】明細書
【補正対象項目名】００６８
【補正方法】変更
【補正の内容】
【００６８】
１０  カールカラム塔
１２  円筒状部
１４  デカンター
１６  デカンター
１８  プレート
２０  シャフト
２２  モーター
２３  円筒状部下端
２４  反応領域
２６  洗浄領域
２８  界面
３０  円筒状部上端
３２  重液供給口
【手続補正書】
【提出日】平成18年10月2日(2006.10.2)
【手続補正１】
【補正対象書類名】特許請求の範囲
【補正対象項目名】全文
【補正方法】変更
【補正の内容】
【特許請求の範囲】
【請求項１】
Mipp1 相同タンパク質および(または)その機能的断片、Mipp1相同タンパク質をコードする核酸分子および(または)その機能的断片および(または)当該核酸分子の修飾因子/エフェクターおよび(または)当該タンパク質から成り、医薬用に許容できるキャリア、希釈液および(または)補助剤と共に提供される医薬品組成物。
【請求項２】
当該核酸分子が下記から成る群から選択されるような請求項１に記載の組成物: 
(a)  表 1 に示したポリペプチドをコードする核酸分子、または当該ポリペプチドのアイソフォーム、断片、または変異体; 
(b)  表1に示した核酸分子から成る核酸分子か、または表1に示した核酸分子である核酸分子;
(c)  (a)または(b)で定義した核配列に対する遺伝子暗号の結果として変性される核酸分子; 
(d)  50℃ にて、1 x SSC および 0.1% の SDS (ドデシル硫酸ナトリウム) を含んだ溶液中において、請求項 2 で定義した核酸分子、または(a)または(b)において定義した核酸分子および(または)それに対して相補的な核酸分子にハイブリダイズする核酸分子; 
(e)  ポリペプチドをコード化する核酸分子であり、少なくとも 85%、望ましくは少なくとも 90%、より望ましくは少なくとも 95%、より望ましくは少なくとも 98%、および最大で 99,6% までの同一性を、表1に記載したヒトタンパク質または (a) において定義したポリペプチドに対して持つ核酸分子; 
(f)  コード化されたポリペプチドにおいて改変、削除、重複または早期停止を引き起こす突然変異によって(a)〜(e)の核酸分子と異なる核酸分子。
【請求項３】
検出および(または)検証用、肥満症、糖尿病および(または)代謝症候群、を始めとする代謝疾患または機能障害、さらには、細胞、細胞塊、器官臓器および(または)被検体における摂食障害、悪質液、高血圧、冠動脈心疾患、高コレステロール血症、異脂肪血症、骨関節炎、または胆石症、または肝臓線維症のような関連障害の治療、軽減および(または)予防用の薬剤の製造のための請求項１または２に記載の組成物。
【請求項４】
Mipp1 相同ポリペプチド、特に請求項２によるポリペプチドの修飾発現を示す非ヒト遺伝子導入動物。
【請求項５】
Mipp1 相同ポリペプチド、特に請求項２によるポリペプチドの修飾発現を示す組換え宿主細胞。
【請求項６】
哺乳動物におけるエネルギー恒常性および(または)中性脂肪の代謝に関与する(ポリ)ペプチドを同定する方法のステップは下記の通りである：
(a)  当該(ポリ)ペプチドの結合を可能にする条件下での、Mipp1 相同ポリペプチド、特に請求項２によるポリペプチドまたはその機能的断片を用いた(ポリ)ペプチドの回収にコンタクトする手順;
(b)  結合しない(ポリ)ペプチドを除去する手順、および
(ｃ)  当該Mipp1 相同なポリペプチドに結合する(ポリ)ペプチドを同定するステップ。
【請求項７】
Mipp1 相同ポリペプチド、特に請求項２によるポリペプチド結合標的との相互作用を調節/影響する薬剤のための、下記の手順から成るスクリーニング方法：
(a)  下記から成る混合物をインキュベートする手順。
(aa)  Mipp1 相同ポリペプチド、特に請求項２によるポリペプチドまたはその機能的断片;
(ab)  当該ポリペプチドまたはその機能的断片の結合標的;および
(ac) 候補薬剤
(下記参照の親和性にて当該ポリペプチドまたはその機能的断片が特異的に当該結合標的に結合する条件下での);
(b)  薬剤の親和性を決定するため、当該結合標的に対する当該ポリペプチドまたはその機能的断片の結合親和性を検出する手順; および
(c)  薬剤の親和性と基準親和性間の差異を確定する手順。
【請求項８】
Mipp1 相同ポリペプチド、特に請求項３によるポリペプチドの活性を調節および影響する薬剤の、下記の手順から成るスクリーニング方法：
(a)  下記から成る混合物をインキュベートする手順。
(aa)  当該ポリペプチドまたはその機能的断片; 
(ab)  当該ポリペプチドまたはその機能的断片が基準活性を持つ条件下の候補薬剤;
(b)  薬物の存在における活性を確定するための、当該ポリペプチドまたはその機能的断片の活性を検出する手順; および
(c)  本薬剤の存在下の活性と標準活性間の差を確定する手順。
【請求項９】
肥満症、真性糖尿病、および(または)代謝症候群を始めとする代謝疾患または機能障害、さらには、摂食障害、悪質液、高血圧、冠動脈性心疾患、高コレステロール血症、異脂肪血症、骨関節炎、胆石症、または肝臓線維症のような関連障害の治療、軽減および(または)予防用の医薬品組成物を製造するための、請求項１または２に記載の核酸分子またはポリペプチドの使用法。
【請求項１０】
少なくとも下記の 1 つを備えたキット：
Mipp1 相同核酸分子またはその機能的断片; 
Mipp1 相同アミノ酸分子または機能的断片またはそのアイソフォーム;
(c)  (a) の核酸から成るベクター;
(d)  (a) の核酸または(c) のベクターから成る宿主細胞;
(e)  (a) の核酸によってコード化されたポリペプチド;
(f)  (a) の核酸によってコード化された融合ポリペプチド;
(g)  (a)の核酸、または(b)、(e)、および(または) (f)のポリペプチドの抗体、アプタマーおよび(または)別の修飾因子/エフェクター、および
(h)  (a)の核酸アンチセンスオリゴヌクレオチド。
【請求項１１】
医薬品組成物は下記から成る：
(i)  Mipp1 相同タンパク質またはアイソフォーム、機能的断片またはその変異体、具体的には表 1 に記載した核酸分子をコードする核酸分子の使用法、特に請求項 ２ (a)、(b)、または (c) に記載の核酸分子、および(または)それによってコード化されたポリペプチドおよび(または)機能的断片および(または)当該核酸分子または当該ポリペプチドの変異体および(または)当該核酸分子または当該ポリペプチドの修飾因子/エフェクター、および
(ii)  イノシトール六リン酸エステルキナーゼまたはアイソフォームをコードする核酸分子、その機能的断片または変異体、および(または)それによってコード化されたポリペプチドおよび(または)機能的断片および(または)当該核酸分子または当該ポリペプチドの変異体および(または)当該核酸分子または当該ポリペプチドの修飾因子/エフェクター
(医薬用に許容できるキャリア、希釈液および(または)補助剤を包括する)。
【請求項１２】
Mipp1 相同なポリペプチドおよびイノシトール六リン酸エステルキナーゼポリペプチドの修飾発現を示す非ヒト導入遺伝子の動物。
【請求項１３】
Mipp1 相同なポリペプチドおよびイノシトール六リン酸エステルキナーゼポリペプチドの修飾発現を示す組換え宿主細胞。
【手続補正書】
【提出日】平成18年10月2日(2006.10.2)
【手続補正１】
【補正対象書類名】特許請求の範囲
【補正対象項目名】全文
【補正方法】変更
【補正の内容】
【特許請求の範囲】
【請求項１】
式（Ｉ）
【化１】
2006501287.tif 000001
〔式中、Ｒ１は、コレステリン、ジアシルグリセリン、ジアルキルグリセリン、アシルアルキルグリセリン、セラミド、１２〜２４個のＣ原子を有する第１アルコールもしくは第２アルコールまたはアシルグリセロ−ベンジルエーテルから選択された基を表わし、
Ｒ２は、エタノールアミン、Ｎ−メチルエタノールアミン、プロパノールアミン、コリン、グリセリン、オリゴグリセリン、グリコグリセリンまたはセリンから選択された基を表わし、この場合これらの基は、場合によっては保護基を含有していてもよく、
Ｒ３は、Ｃ１〜Ｃ８−アルキルまたはＣ１〜Ｃ８−アルケニルから選択された基を表わすかまたはＲ２を表わす〕で示される化合物。
【請求項２】
Ｒ１は、コレステリン基を表わす、請求項１記載の化合物。
【請求項３】
Ｒ１は、１−オクタデシル−２−メチル−ｓｎ−グリセリン基を表わす、請求項１記載の化合物。
【請求項４】
Ｒ２は、グリセリン基を表わす、請求項１から３までのいずれか１項に記載の化合物。
【請求項５】
Ｒ３は、グリセリン基を表わす、請求項１から４までのいずれか１項に記載の化合物。
【請求項６】
コレステリル−ホスホ−ジグリセリン、コレステリル−ホスホ−グリセリングリセログリセリン、コレステリル−ホスホ−ジ−グリコグリセリン、１，２−ジミリストイル−ｓｎ−グリセロ−３−ホスホ−ジグリセリン、１，２−ジパルミトイル−ｓｎ−グリセロ−３−ホスホ−ジグリセリン、１，２−ジステアロイル−ｓｎ−グリセロ−３−ホスホ−ジグリセリン、１，２−ジオレオイル−ｓｎ−グリセロ−３−ホスホ−ジグリセリン、１，２−ジオレオイル−ｓｎ−グリセロ−３−ホスホ−ジ−グリコグリセリン、１，２−ジオレオイル−ｓｎ−グリセロ−３−ホスホ−ジ−グリセログリセリンから選択された、請求項１から５までのいずれか１項に記載の化合物。
【請求項７】
請求項１から６までのいずれか１項に記載の式（Ｉ）による化合物の製造法において、
式（ＩＩ）
【化２】
2006501287.tif 000002
で示される化合物を、式（ＩＩＩ）
ＨＯ−Ｒ３
で示される化合物でエステル化することを特徴とする、請求項１から６までのいずれか１項に記載の式（Ｉ）による化合物の製造法。
【請求項８】
請求項１から６までのいずれか１項に記載の化合物を含有するリポソーム。
【請求項９】
請求項１から６までのいずれか１項に記載の化合物または請求項７記載のリポソームを含有する、癌腫を治療する医薬品。
【手続補正２】
【補正対象書類名】明細書
【補正対象項目名】００１４
【補正方法】変更
【補正の内容】
【００１４】
Ｒ２は、天然のリン脂質およびスフィンゴミエリン中に由来する全ての基を表わすことができる。殊に、Ｒ２は、エタノールアミン基、Ｎ−メチルエタノールアミン基またはプロパノールアミン基を表わし、この場合これらの基には、場合によっては適当な保護基、例えばＢＯＣが設けられていてよい。更に、Ｒ２は、コリン基を表わすことができる。好ましくは、Ｒ２は、−ＣＨ２−ＣＨ２−Ｎ＋（ＣＨ３）３を表わす。更に、Ｒ２は、グリセリン基（−ＣＨ２−ＣＨ（ＯＨ）−ＣＨ２（ＯＨ））を表わし、ならびにオリゴグリセリン、殊にジグリセリン基またはトリグリセリン基を表わす。更に、適当な基Ｒ２は、グリコグリセリン、ならびにセリン基である。また、グリセリン基およびセリン基は、場合によっては適当な保護基を備えていてよい。
【手続補正３】
【補正対象書類名】明細書
【補正対象項目名】００２５
【補正方法】変更
【補正の内容】
【００２５】
【化６】
2006501287.tif 000003
【手続補正書】
【提出日】平成18年9月8日(2006.9.8)
【手続補正１】
【補正対象書類名】特許請求の範囲
【補正対象項目名】全文
【補正方法】変更
【補正の内容】
【特許請求の範囲】
【請求項１】
食用油に懸濁された乳酸菌（ＬＡＢ）を含み、前記食用油がプレバイオティック特性を有しているプロバイオティック組成物。
【請求項２】
該ＬＡＢがラクトバシラス−アシドフィルス、Ｌ．アミロヴォルス、Ｌ．ブレビス、Ｌ．ブルガリカス、Ｌ．カゼイ亜種カゼイ、Ｌ．カゼイ亜種ラムノーサス、Ｌ．クリスパタス、Ｌ．デルブリッキー亜種ラクティス、Ｌ．ファーメンタム、Ｌ．ヘルヴェティクス、Ｌ．ジョンソニー、Ｌ．パラカゼイ、Ｌ．ペントーサス、Ｌ．プランタルム、Ｌ．ロイテリ、Ｌ．サケ、ビフィドバクテリウム−アニマリス、Ｂ．ビフィドゥム、Ｂ．ブレヴェ、Ｂ．インファンティス、Ｂ．ロングム、ペディオコッカス−アシディーラクティー、プロピオニバクテリウム−アシディープロピオニー、Ｐ．フロイデンライシイ、Ｐ．イエンセニー、Ｐ．テオニ、ストレプトコッカス−クレモリス、Ｓ．ラクティス、Ｓ．サーモフィルスおよびそれらの組み合わせから成る群より選択される、請求項１に記載のプロバイオティック組成物。
【請求項３】
該プレバイオティック食用油が、魚油、オリーブ油、米糠油、大豆油およびそれらの組み合わせから成る群より選択される、請求項１に記載のプロバイオティック組成物。
【請求項４】
該ＬＡＢが、ＡＴＣＣ番号ＰＴＡ３９４５を有しているＬ．カゼイＫＥ０１株である、請求項１に記載のプロバイオティック組成物。
【請求項５】
さらに、硬質、二片カプセルを含んでおり、ここにおいて該ゼラチン／植物性カプセルが窒素パージされそして即時結合されている（ＮＰＩＢ）、請求項１〜４のいずれか１項に記載のプロバイオティック組成物。
【請求項６】
食用油中に懸濁されているＡＴＣＣ番号ＰＴＡ３９４５を有するラクトバシラス−カゼイＫＥ０１株を含むプロバイオティック組成物であって、前記食用油はプレバイオティック特性を有し、かつ魚油、オリーブ油、米糠油、大豆油およびそれらの組み合わせから成る群より選択されるプロバイオティック組成物。
【請求項７】
さらに、硬質、ゼラチン／植物性カプセルを含んでおり、ここにおいて該ゼラチン／植物性カプセルが窒素パージされそして即時結合されている（ＮＰＩＢ）、請求項６に記載のプロバイオティック組成物。
【請求項８】
食用油中に懸濁されているＡＴＣＣ番号ＰＴＡ３９４５を有するラクトバシラス  カゼイＫＥ０１株を含むプロバイオティック組成物であって、前記食用油はプレバイオティック特性を有し、かつ魚油、オリーブ油、米糠油、大豆油およびそれらの組み合わせから成る群より選択されるプロバイオティック組成物。
【請求項９】
該食用油が魚油である、請求項８に記載のプロバイオティック組成物。
【請求項１０】
該食用油がオリーブ油である、請求項８に記載のプロバイオティック組成物。
【請求項１１】
該食用油が米糠油である、請求項８に記載のプロバイオティック組成物。
【請求項１２】
該食用油が大豆油である、請求項８に記載のプロバイオティック組成物。
【請求項１３】
さらに、大豆オリゴ糖類、フルクトオリゴ糖類、ガラクトオリゴ糖類、ガラクトシル  ラクトースおよびパラチノース、ラクツロース、ラクチトール、キシリトール、ソルビトール、マンニトール、トレハロース、グルコース、スクロース、フルクトース、マルトース、牛乳、粉乳、乳清、乳清タンパク質濃縮物、カゼイン、カゼイン加水分解物、ラクトフェリン、ラクトペルオキシダーゼ、ラクトグロブリン、グリコマクロペプチド、ラクト糖類、ラクト脂質から成る群より選択される安定化剤成分を含んでいる、請求項８〜１２のいずれか１項に記載のプロバイオティック組成物。
【請求項１４】
さらに、硬質、二片カプセルを含んでおり、ここにおいて該ゼラチン／植物性カプセルは窒素パージされそして即時結合されている（ＮＰＩＢ）、請求項８〜１２のいずれか１項に記載のプロバイオティック組成物。
【請求項１５】
プレバイオティックオリーブ油中に懸濁されているＡＴＣＣ番号ＰＴＡ３９４５を有するラクトバシラス−カゼイＫＥ０１株を含むプロバイオティック組成物であって、前記プロバイオティック組成物は硬質二片カプセルに封入されており、該硬質二片カプセルは窒素パージおよび即時結合（ＮＰＩＢ）されているプロバイオティック組成物。
【請求項１６】
プロバイオティック組成物を作製するための方法であって：
乳酸菌（ＬＡＢ）を、プレバイオティック特性を有する食用油中に乳化させて、乳化プロバイオティックを形成すること；
硬質カプセル本体を前記乳化プロバイオティックで充填し、ここで前記カプセルは垂直に配向していること；
前記乳化プロバイオティックを含んでいる前記の垂直整列化硬質カプセル本体の上にキャップを付けて、充填されたカプセルを形成すること；
前記充填されたカプセルを希ガスでパージすること；および
前記カプセル本体を前記カプセルキャップに対し密閉し、その間、前記カプセル本体および前記カプセルキャップは前記の垂直整列化配向であること；
を含む方法。
【請求項１７】
乳化工程がさらに、魚油、オリーブ油、米糠油、大豆油およびそれらの組み合わせから成る群より選択される食用油を含んでいる、請求項１６に記載の方法。
【請求項１８】
乳化工程がさらに、ラクトバシラス−アシドフィルス、Ｌ．アミロヴォルス、Ｌ．ブレビス、Ｌ．ブルガリカス、Ｌ．カゼイ亜種カゼイ、Ｌ．カゼイ亜種ラムノーサス、Ｌ．クリスパタス、Ｌ．デルブリッキー亜種ラクティス、Ｌ．ファーメンタム、Ｌ．ヘルヴェティクス、Ｌ．ジョンソニー、Ｌ．パラカゼイ、Ｌ．ペントーサス、Ｌ．プランタルム、Ｌ．ロイテリ、Ｌ．サケ、ビフィドバクテリウム  アニマリス、Ｂ．ビフィドゥム、Ｂ．ブレヴェ、Ｂ．インファンティス、Ｂ．ロングム、ペディオコッカス−アシディーラクティー、プロピオニバクテリウム−アシディープロピオニー、Ｐ．フロイデンライシイ、Ｐ．イエンセニー、Ｐ．テオニ、ストレプトコッカス−クレモリス、Ｓ．ラクティス、Ｓ．サーモフィルスおよびそれらの組み合わせから成る群より選択されるＬＡＢを含んでいる、請求項１６に記載の方法。
【請求項１９】
ＬＡＢがＡＴＣＣ番号ＰＴＡ３９４５を有しているＬ．カゼイＫＥ０１株である、請求項１８に記載の方法。
【請求項２０】
充填する工程がさらに、植物性、動物性ゼラチン、合成ポリマーまたは天然ポリマーから誘導される硬質カプセルを含んでいる、請求項１６に記載の方法。
【請求項２１】
パージする工程がさらに、窒素、アルゴンおよび二酸化炭素から成る群より選択されるガスを含んでいる、請求項１６に記載の方法。
【請求項２２】
密閉工程がさらに、イソプロピルアルコールおよびエタノールから成る群より選択される有機溶剤を含んでいる、請求項１６に記載の方法。
【請求項２３】
ＫＥ０１特異的プライマーの対であって、該ＫＥ０１特異的プライマーが、ポジティブ鎖及びネガティブ鎖から成り、該ポジティブプライマーが配列番号１であり、該ネガティブ鎖が配列番号２であるプライマー対。
【手続補正書】
【提出日】平成18年7月20日(2006.7.20)
【手続補正１】
【補正対象書類名】特許請求の範囲
【補正対象項目名】請求項１７
【補正方法】変更
【補正の内容】
【請求項１７】
前記エポキシ化が、水混和性溶媒の中及び不均一触媒の存在下において、好ましくは連続流動反応器に置かれて固定された触媒の存在下において行われる、請求項１６に記載の用途。
【手続補正書】
【提出日】平成18年7月27日(2006.7.27)
【手続補正１】
【補正対象書類名】特許請求の範囲
【補正対象項目名】請求項１０
【補正方法】変更
【補正の内容】
【請求項１０】
変形性関節炎を治療するための請求項９に記載の医薬組成物。
【手続補正２】
【補正対象書類名】特許請求の範囲
【補正対象項目名】請求項１１
【補正方法】変更
【補正の内容】
【請求項１１】
リウマチ様関節炎を治療するための請求項９に記載の医薬組成物。
【手続補正書】
【提出日】平成18年8月3日(2006.8.3)
【手続補正１】
【補正対象書類名】明細書
【補正対象項目名】００６９
【補正方法】変更
【補正の内容】
【００６９】
参照例１
以下の例は、メラミン／ホルムアルデヒド・ポリマーに基づく標準的な重縮合マイクロカプセルの形成を説明するものである。ナショナル・スターチ・アンド・ケミカル社、ブリッジウオーター、米国から入手したVersa TL502（硫酸ポリスチレン・ナトリウム）の１０％溶液６６ｇを１３０ｇの蒸留水に加え水酸化ナトリウムの２０％溶液を用いてｐＨが４．５になるよう調整した。別に３７％ホルムアルデヒド中にメラミンの４０％溶液を用意した。次いで、１００ｇの香水Ａ（「内相」）をこの硫酸ポリスチレン・ナトリウム溶液に加え、水中に香水の乳濁液を形成させるために連続的撹拌を持続した。そして、７２ｇのメラミン・ホルムアルデヒドの溶液を加えた。この乳濁液をウオーターバス内で５５℃まで加熱し、撹拌を続けた状態でこの状態を保持し、一晩かけて冷やした。この方法で生成したカプセルはカプセルの懸濁液内に２７％の香水成分を持つ平均粒子径が８μｍのカプセルであった。
【手続補正書】
【提出日】平成18年3月16日(2006.3.16)
【手続補正１】
【補正対象書類名】特許請求の範囲
【補正対象項目名】請求項２
【補正方法】変更
【補正の内容】
【請求項２】
ニコチン受容体群に対するモジュレータを連続的に放出せしめる投与形態中の前記モジュレータが、ガランタミン、薬学的に受容可能なガランタミンの塩、ニコチンおよび薬学的に受容可能なニコチンの塩からなる群から選択されることを特徴とする、請求項１に記載の医薬。
【手続補正２】
【補正対象書類名】特許請求の範囲
【補正対象項目名】請求項９
【補正方法】変更
【補正の内容】
【請求項９】
プラスチック容器が、複数のノズルを備え、該ノズルによって溶液を鼻にスプレーするかまたは点滴注入することができる、請求項８に記載の医薬。
【手続補正３】
【補正対象書類名】特許請求の範囲
【補正対象項目名】請求項１２
【補正方法】変更
【補正の内容】
【請求項１２】
ニコチン受容体群に対するモジュレータを連続的に放出せしめる投与形態中の前記モジュレータが、ガランタミン、薬学的に受容可能なガランタミンの塩、ニコチンおよび薬学的に受容可能なニコチンの塩からなる群から選択されることを特徴とする、請求項１０または１１に記載の方法。
【手続補正４】
【補正対象書類名】特許請求の範囲
【補正対象項目名】請求項１９
【補正方法】変更
【補正の内容】
【請求項１９】
プラスチック容器が、複数のノズルを備え、該ノズルによって溶液を鼻にスプレーするかまたは点滴注入することができる、請求項１８に記載の方法。
【手続補正書】
【提出日】平成18年5月16日(2006.5.16)
【手続補正１】
【補正対象書類名】特許請求の範囲
【補正対象項目名】全文
【補正方法】変更
【補正の内容】
【特許請求の範囲】
【請求項１】
血管新生／浮腫関連疾患および網膜の障害を処置するための組成物であって、該組成物は、薬学的有効量の選択的ＰＤＥ−ＩＶインヒビターを含む、組成物。
【手続補正書】
【提出日】平成18年8月14日(2006.8.14)
【手続補正１】
【補正対象書類名】特許請求の範囲
【補正対象項目名】全文
【補正方法】変更
【補正の内容】
【特許請求の範囲】
【請求項１】
骨関節炎又は慢性関節リウマチを予防又は治療するため、軟骨損傷を予防又は治療するため、関節痛を軽減するため、又は、関節機能を改善するための医薬組成物であって、式Ｉ：
【化１】
2006501238.tif 000001
（式中：
ｎ及びｍは、独立に２〜９の整数であり；
Ｒ1、Ｒ2、Ｒ3、及びＲ4は、独立にＣ1〜Ｃ6アルキル、Ｃ2〜Ｃ6アルケニル、又はＣ2〜Ｃ6アルキニルであるか；又は
Ｒ1及びＲ2が、それらが結合している炭素原子と一緒に、又は、Ｒ3及びＲ4が、それらが結合している炭素原子と一緒になって、又は、Ｒ1及びＲ2が、それらが結合している炭素原子と一緒に、及び、Ｒ3及びＲ4が、それらが結合している炭素原子と一緒になって、３〜６の炭素を有する炭素環を形成することができ；
Ｙ1及びＹ2は、独立に、ＣＯＯＨ、ＣＨＯ、テトラゾール、又はＣＯＯＲ5であって、Ｒ5がＣ1〜Ｃ6アルキル、Ｃ2〜Ｃ6アルケニル、又はＣ2〜Ｃ6アルキニルであり；そして
該アルキル、アルケニル、及びアルキニル基は、ハロ、ヒドロキシ、Ｃ1〜Ｃ6アルコキシ、及びフェニルから選択される１又は２の基で置換されていてもよい。）
の置換ジアルキルエーテル又は薬学的に許容できるその塩を活性成分として含んでなる医薬組成物。
【請求項２】
請求項１記載の医薬組成物であって、該活性成分が、６−（５−カルボキシ−５−メチル−ヘキシルオキシ）−２,２−ジメチルヘキサン酸と命名される置換ジアルキルエーテルである組成物。
【請求項３】
請求項１記載の医薬組成物であって、該活性成分が、６−（５−カルボキシ−５−メチル−ヘキシルオキシ）−２,２−ジメチルヘキサン酸・カルシウム塩と命名される置換ジアルキルエーテルの薬学的に許容できる塩である組成物。
【請求項４】
医薬組成物であって、
ａ）６−（５−カルボキシ−５−メチル−ヘキシルオキシ）−２,２−ジメチルヘキサン酸・カルシウム塩；
ｂ）選択的ＣＯＸ−２阻害剤又は薬学的に許容できるその塩；
ｃ）薬学的に許容できる担体又は希釈剤
を含んでなる組成物。
【請求項５】
請求項４の医薬組成物であって、前記ＣＯＸ−２阻害剤が、パレコキシブ、バルデコキシブ、又はセレコキシブである医薬組成物。
【請求項６】
６−（５−カルボキシ−５−メチル−ヘキシルオキシ）−２,２−ジメチルヘキサン酸・カルシウム塩と、セレコキシブ、バルデコキシブ、又は薬学的に許容できるそれらの塩から選択されるＣＯＸ−２阻害剤とを含んでなる組合せ物。
【手続補正書】
【提出日】平成18年6月19日(2006.6.19)
【手続補正１】
【補正対象書類名】特許請求の範囲
【補正対象項目名】全文
【補正方法】変更
【補正の内容】
【特許請求の範囲】
【請求項１】
メトロニダゾール又はその薬理学的に許容可能な塩を薬理学的に許容可能な非水性ビヒクル中に少なくとも約５重量％の濃度で含有してなり、該ビヒクルが少なくとも１つの炭化水素化合物である局所組成物。
【請求項２】
メトロニダゾールの濃度が、約5重量％と約５０重量％との間である請求項１記載の局所組成物。
【請求項３】
メトロニダゾールの濃度が、約5重量％と約１５重量％との間である請求項１又は請求項２記載の局所組成物。
【請求項４】
メトロニダゾールの濃度が、約１０重量％である請求項１乃至３の内のいずれか一項記載の局所組成物。
【請求項５】
該ビヒクルが、少なくとも二種の半固体状炭化水素化合物を含んでなる請求項１乃至４の内のいずれか一項記載の局所組成物。
【請求項６】
該ビヒクルが、白色ワセリン（ＵＳＰ）である請求項１乃至５の内のいずれか一項記載の局所組成物。
【請求項７】
更に治療上有効な量の少なくと一種のステロイドを含んでなる請求項１乃至６の内のいずれか一項記載の局所組成物。
【請求項８】
更に治療上有効な量の少なくとも一種の鎮痛剤を含んでなる請求項１乃至７の内のいずれか一項記載の局所組成物。
【請求項９】
更に治療上有効な量の少なくとも一種の抗菌剤を含んでなる請求項１乃至８の内のいずれか一項記載の局所組成物。
【請求項１０】
更に治療上有効な量の、皮膚の健全・完全性を促進するか又は皮膚の損傷を阻害する少なくとも一種の物質を含んでなる請求項１乃至９の内のいずれか一項記載の局所組成物。
【請求項１１】
更に治療上有効な量の少なくとも一種の消炎剤を含んでなる請求項１乃至１０の内のいずれか一項記載の局所組成物。
【請求項１２】
更に治療上有効な量の少なくとも一種の抗下痢剤を含んでなる請求項１乃至１１の内のいずれか一項記載の局所組成物。
【請求項１３】
メトロニダゾール又はその薬理学的に許容可能な誘導体を白色ワセリン（ＵＳＰ）中に約１０重量％の濃度で含んでなる請求項１記載の局所組成物。
【請求項１４】
白色ワセリン（ＵＳＰ）中約１０重量％の濃度でのメトロニダゾールから実質的に構成される請求項１３記載の局所組成物。
【請求項１５】
メトロニダゾール又はそのその薬理学的に許容可能な塩を薬理学的に許容可能な非水性ビヒクル中に少なくとも約５重量％の濃度で含有してなる、ヒト又は動物の身体を処置・治療に使用する局所組成物。
【請求項１６】
結腸、直腸、肛門直腸又は肛門周囲部の病状を処置・治療するため、メトロニダゾール又はその薬理学的に許容可能な塩を非水性局所医薬の製造のために使用する方法。
【請求項１７】
該病状が、炎症性腸疾患、潰瘍性結腸炎、肛門周囲クローン病、放射線直腸炎、原発性直腸結腸炎及び嚢炎の何れかである請求項１６記載の使用方法。
【請求項１８】
肛門直腸若しくは肛門周囲の潰瘍又は皮膚欠損を処置・治療するための請求項１６記載記載の使用方法。
【請求項１９】
肛門周囲の感染又は炎症過程を処置・治療するための請求項１６記載記載の使用方法。
【請求項２０】
結腸、直腸、肛門直腸及び肛門周囲部に対する外科手術の後の浮腫を低減させるため、メトロニダゾール又はその薬理学的に許容可能な塩を非水性局所薬剤の製造のために使用する方法。
【請求項２１】
結腸、直腸、肛門直腸及び肛門周囲部に対する外科手術の後の組織硬結・硬化及び肉芽増殖を反転させるため、メトロニダゾール又はその薬理学的に許容可能な塩を非水性局所薬剤の製造のために使用する方法。
【請求項２２】
結腸、直腸、肛門直腸及び肛門周囲部に対する外科手術の後の疼痛を緩和させるため、メトロニダゾール又はその薬理学的に許容可能な塩を非水性局所薬剤の製造のために使用する方法。
【請求項２３】
結腸、直腸、肛門直腸及び肛門周囲部に対する外科手術の後の炎症を低減させるため、メトロニダゾール又はその薬理学的に許容可能な塩を非水性局所薬剤の製造のために使用する方法。
【請求項２４】
結腸、直腸、肛門直腸及び肛門周囲部に対する外科手術の後の治癒を促進させるため、メトロニダゾール又はその薬理学的に許容可能な塩を非水性局所薬剤の製造のために使用する方法。
【請求項２５】
該外科手術が、痔核切除術、痔ろう切開術、裂溝切除術、括筋切開術、括約筋形成術又は膿瘍の切開及び排膿の何れかである請求項２０乃至２４の内のいずれか一項記載の方法。
【請求項２６】
該外科手術が、痔核切除術である請求項２０乃至２５の内のいずれか一項記載の方法。
【請求項２７】
結腸、直腸、肛門直腸及び肛門周囲部の病状により引き起こされる疼痛を緩和させるため、メトロニダゾール又はその薬理学的に許容可能な塩を非水性局所薬剤の製造のために使用する方法。
【手続補正書】
【提出日】平成18年4月12日(2006.4.12)
【手続補正１】
【補正対象書類名】特許請求の範囲
【補正対象項目名】請求項２２
【補正方法】変更
【補正の内容】
【請求項２２】
治療が必要な患者に対して、注射部位に許容できない刺激を与えることなくアリピプラゾールの注射剤を投与するための、請求項１７の製剤。
【手続補正２】
【補正対象書類名】特許請求の範囲
【補正対象項目名】請求項２３
【補正方法】変更
【補正の内容】
【請求項２３】
筋肉内投与するための、請求項２２の製剤。
【手続補正３】
【補正対象書類名】特許請求の範囲
【補正対象項目名】請求項２４
【補正方法】変更
【補正の内容】
【請求項２４】
統合失調症を治療するため、注射部位に許容できない刺激を与えることなく投与される、請求項５の製剤。
【手続補正書】
【提出日】平成18年9月25日(2006.9.25)
【手続補正１】
【補正対象書類名】特許請求の範囲
【補正対象項目名】全文
【補正方法】変更
【補正の内容】
【特許請求の範囲】
【請求項１】
繰り返し時分割フレームのスロット内で第１のトレーニング・シーケンスを送信し、
前記第１のトレーニング・シーケンスの後に前記スロット内で情報シーケンスを送信し、
前記情報シーケンスの後の前記スロット内で第２のトレーニング・シーケンスを送信することを含む方法。
【請求項２】
さらに、前記情報シーケンスの前に制御シーケンスを送信することを含む請求項１に記載の方法。
【請求項３】
前記制御シーケンスが前記情報シーケンスに対する複数の異なる伝送モードのうちの１つを示す請求項２に記載の方法。
【請求項４】
前記複数の異なる伝送モードが異なるデータ転送速度に対応する請求項３に記載の方法。
【請求項５】
前記第２のトレーニング・シーケンスが制御シーケンスを含む請求項１に記載の方法。
【請求項６】
前記制御シーケンスが高速関連制御チャネル・シーケンスを含む請求項１７に記載の方法。
【請求項７】
前記情報シーケンスは連続しており、前記第２のトレーニング・シーケンスは前記情報シーケンスに隣接し、しかもその後にある請求項１に記載の方法。
【請求項８】
前記第１と第２のトレーニング・シーケンスのうちの１つが前記情報シーケンスの種類を示す請求項１に記載の方法。
【請求項９】
前記情報シーケンスの前記種類がランダム・アクセス・チャネル・メッセージ、コンフィギュレーション・メッセージ、チャネル割り当てメッセージ、トラフィック・チャネル・メッセージのうちの１つから選択される請求項８に記載の方法。
【請求項１０】
前記トレーニング・シーケンスがトレーニング・シーケンスの異なる組のうちから選択され、それぞれの組は前記情報シーケンスの種類に対応する請求項８に記載の方法。
【請求項１１】
繰り返し時分割フレームのスロットで第１のトレーニング・シーケンス、前記第１のトレーニング・シーケンスの後の前記スロットで情報シーケンス、前記スロットで第２のトレーニング・シーケンスを送信するための送信器と、
トレーニング・シーケンスを前記第１と第２のトレーニング・シーケンスのうちの１つとして選択し、前記情報シーケンスの種類を示すプロセッサとを備える装置。
【請求項１２】
前記第１のトレーニング・シーケンスが前記種類を示す請求項１１に記載の装置。
【請求項１３】
前記プロセッサが、ランダム・アクセス・チャネル・メッセージ、コンフィギュレーション・メッセージ、チャネル割り当てメッセージ、トラフィック・チャネル・メッセージのうちの１つから前記情報シーケンスの前記種類に対するトレーニング・シーケンスを選択する請求項１１に記載の装置。
【請求項１４】
前記プロセッサが、トレーニング・シーケンスの異なる組のうちから前記トレーニング・シーケンスを選択し、それぞれの組が前記情報シーケンスの種類に対応する請求項１１に記載の装置。
【請求項１５】
前記第２のトレーニング・シーケンスが制御シーケンスを含む請求項１１に記載の装置。
【請求項１６】
前記制御シーケンスが前記情報シーケンスに対する複数の異なる伝送モードのうちの１つを示す請求項１５に記載の装置。
【請求項１７】
前記伝送モードが変調形式及び符号化形式のうち少なくとも一方を含む請求項１６に記載の装置。
【手続補正書】
【提出日】平成18年9月28日(2006.9.28)
【手続補正１】
【補正対象書類名】特許請求の範囲
【補正対象項目名】全文
【補正方法】変更
【補正の内容】
【特許請求の範囲】
【請求項１】
端末にダウンロードされたソフトウェアを認証する、前記端末に一体化されたソフトウェアにより前記ダウンロードされたソフトウェアを証明書により認証するステップを有する方法であって、
前記ダウンロードされたソフトウェアの実行中、前記ダウンロードされたソフトウェアに関連する認証ソフトウェアモジュールにより前記一体化された第１のソフトウェアを証明書により認証するステップを有することを特徴とする方法。
【請求項２】
請求項１記載の方法であって、
前記一体化された第１のソフトウェアは、認証ライブラリと第１証明書により前記ダウンロードされたソフトウェアを認証し、
前記一体化された第１のソフトウェアと前記認証ライブラリは、書き込み保護されたメモリの第１部分を構成し、
前記ダウンロードされたソフトウェアと前記第１証明書は、ロード可能メモリの第２部分を構成する、
ことを特徴とする方法。
【請求項３】
請求項２記載の方法であって、
前記第１部分はまた、第２証明書を有し、
前記第２部分はまた、検証ソフトウェアを有し、
前記ダウンロードされたソフトウェアが認証されると、前記検証ソフトウェアは、前記認証ライブラリ及び前記第２証明書により前記一体化された第１のソフトウェアを認証する、
ことを特徴とする方法。
【請求項４】
第１ソフトウェアと、認証ライブラリと第２証明書とを有する第１書き込み保護されたメモリ部分と、
アプリケーションソフトウェアと、第１証明書と検証ソフトウェアとを有する第２メモリ部分と、
から構成される統合ソフトウェアであって、
該ソフトウェアがコンピュータ上で実行されると、該ソフトウェアは、請求項１乃至３何れか一項記載の方法の各ステップを実行することを特徴とするソフトウェア。
【手続補正書】
【提出日】平成18年9月25日(2006.9.25)
【手続補正１】
【補正対象書類名】特許請求の範囲
【補正対象項目名】全文
【補正方法】変更
【補正の内容】
【特許請求の範囲】
【請求項１】
送信された信号の品質に関するデータを取得するステップと、
送信に利用可能な電力に関するデータを取得するステップと、
少なくともある程度は前記送信された信号の品質と前記送信に利用可能な電力に基づいて、送信モードを選択するステップとを含む方法。
【請求項２】
前記利用可能な送信電力が最大送信電力レベルと現在の送信レベルの差である請求項１に記載の方法。
【請求項３】
前記送信された信号の品質に関する情報が信号対干渉雑音比の測定値を含む請求項１に記載の方法。
【請求項４】
前記送信モードが信号の変調と信号の符号化とを含む請求項１に記載の方法。
【請求項５】
前記送信モードを選択するステップが所定の１組の送信モードから選択するステップを含む請求項１に記載の方法。
【請求項６】
前記１組の送信モードの各送信モードが所定の信号品質レベルに関連する請求項５に記載の方法。
【請求項７】
前記送信モードを選択するステップが前記品質データをルックアップ・テーブルに適用するステップを含む請求項６に記載の方法。
【請求項８】
それぞれの所定の送信モードは信号品質レベルの階層にマップされ、この所定の送信モードのマッピングが少なくともフレーム誤り率に基づいている請求項６に記載の方法。
【請求項９】
前記送信モードを選択するステップが送信電力の変化の結果なされる信号品質の修正を見積もるステップを含む請求項６に記載の方法。
【請求項１０】
少なくともある程度は前記信号品質の修正の見積りに基づいて、送信電力を修正するステップをさらに含む請求項９に記載の方法。
【請求項１１】
送信モードの選択は送信のフレームそれぞれについて行われる請求項１に記載の方法。
【請求項１２】
送信モードの選択は他の送信のフレーム毎に行われる請求項１に記載の方法。
【請求項１３】
信号を送信する送信機と、
信号品質データを受信する受信機と、
少なくともある程度は前記信号品質データと前記無線装置の利用可能な送信電力に基づいて、送信モードを選択するプロセッサとを含む無線装置。
【請求項１４】
前記無線装置は基地局を含む請求項１３に記載の無線装置。
【請求項１５】
前記第２の無線装置は遠隔端末を含む請求項１４に記載の無線装置。
【請求項１６】
前記送信モードが変調スキームと符号化スキームを含む請求項１３に記載の無線装置。
【請求項１７】
前記無線装置が１組の複数の所定の送信モードをさらに含む請求項１３に記載の無線装置。
【請求項１８】
それぞれの所定の送信モードが信号品質レベルの階層マップされる請求項１７に記載の無線装置。
【請求項１９】
送信モードの選択はルックアップテーブルに品質データを適用する請求項１８記載の無線装置。
【請求項２０】
前記それぞれの所定の送信モードのマッピングが少なくともある程度はフレーム誤り率に基づいている請求項１８に記載の無線装置。
【請求項２１】
前記利用可能送信電力が前記無線装置の最大送信電力レベルと前記無線装置の現在の送信電力レベルの差である請求項１３に記載の無線装置。
【請求項２２】
送信モードの選択は送信電力の変化と共に生じる信号品質の変化を評価する請求項１３記載の無線装置。
【請求項２３】
少くとも信号品質の評価に基いて送信電力を変える請求項２２記載の無線装置。
【請求項２４】
より高い送信モード送信モードになると、送信電力を増大する請求項２３に記載の無線装置。
【請求項２５】
より低い送信モード送信モードになると、送信電力を減少する請求項２３に記載の無線装置。